(57)【特許請求の範囲】
【請求項１】
装置において、それは、
平面に平行に移動する対象物の位置を見つけるための測距儀と、
前記測距儀が固着され、平面に関して正位置とその反対側の逆位置との間で枢動可能なキャリヤーと、
正位置と逆位置の間で前記キャリヤーと前記測距儀を枢動させるためのピボットと、
を含むことを特徴とする正位置と逆位置の間で枢動可能の測距儀。
【請求項２】
前記測距儀は、受動式の測距儀であることを特徴とする請求項１に記載の正位置と逆位置の間で枢動可能の測距儀。
【請求項３】
前記測距儀は、タイミング信号受信機と二つの超音波受信機を含むことを特徴とする請求項２に記載の正位置と逆位置の間で枢動可能の測距儀。
【請求項４】
前記タイミング信号受信機は、赤外線受信機であることを特徴とする請求項３に記載の正位置と逆位置の間で枢動可能の測距儀。
【請求項５】
前記測距儀は、タイミング信号送信機を有する対象物を追跡するための回路と、当該タイミング信号受信機によってタイミング信号送信機から受け取られたタイミング信号及び当該超音波受信機によって超音波送信機から受け取られた超音波パルスに基づき対象物を追跡するための超音波受信機と、を含むことを特徴とする請求項３に記載の正位置と逆位置の間で枢動可能の測距儀。
【請求項６】
前記タイミング信号受信機は、タイミング信号送信機を有する対象物から空間を介して、前記タイミング信号を受け取ることを特徴とする請求項５に記載の正位置と逆位置の間で枢動可能の測距儀。
【請求項７】
前記タイミング信号受信機は、タイミング信号送信機を有する対象物からハードワイヤードチャンネルを介して、前記タイミング信号を受け取ることを特徴とする請求項５に記載の正位置と逆位置の間で枢動可能の測距儀。
【請求項８】
前記対象物は、電子ペンであることを特徴とする請求項５に記載の正位置と逆位置の間で枢動可能の測距儀。
【請求項９】
この装置は、この測距儀とキャリヤーが正位置か逆位置に置くことを決める定位メカニズムを含むことを特徴とする請求項１に記載の正位置と逆位置の間で枢動可能の測距儀。
【請求項１０】
この装置は、当該定位メカニズムが、前記ピボットに操作上結合される機械のスイッチを含むことを特徴とする請求項９に記載の正位置と逆位置の間で枢動可能の測距儀。
【請求項１１】
前記測距儀は、表側と裏側があって、しかも当該定位メカニズムは、少なくとも一つ以上の受信機と、測距儀の表側にある表面受信機と、測距儀の裏側にある裏面受信機を含むことを特徴とする請求項９に記載の正位置と逆位置の間で枢動可能の測距儀。
【請求項１２】
当該定位メカニズムは、一つまたは一つ以上の平面マーカーの近接を検出するため近接検出器を含むことを特徴とする請求項９に記載の正位置と逆位置の間で枢動可能の測距儀。
【請求項１３】
前記近接検出器は、磁力計であることを特徴とする請求項１２に記載の正位置と逆位置の間で枢動可能の測距儀。
【請求項１４】
前記磁力計は、ホール効果センサであることを特徴とする請求項１３に記載の正位置と逆位置の間で枢動可能の測距儀。
【請求項１５】
前記近接検出器は、金属探知器であることを特徴とする請求項１２に記載の正位置と逆位置の間で枢動可能の測距儀。
【請求項１６】
前記装置は、さらに、前記平面に固着され、正位置と逆位置の間でキャリヤーと測距儀を枢動させるためのピボットと、を含むことを特徴とする請求項１に記載の正位置と逆位置の間で枢動可能の測距儀。
【請求項１７】
前記平面と平行な端面を持つワークピースを平面上に備え、ワークピースの厚さは、前記測距儀と前記平面との間の最大距離以下であって、前記測距儀が正位置または逆位置にあるとき、当該ピボットが前記測距儀を端面の上に横たわらせることを特徴とする請求項１６に記載の正位置と逆位置の間で枢動可能の測距儀。
【請求項１８】
前記装置は、さらに、キャリヤーを平面に枢動可能に取り付けるための付属メカニズムと、前記付属メカニズムに固着され、正位置と逆位置の間でキャリヤーと測距儀を枢動させるためのピボットと、を含むことを特徴とする請求項１に記載の正位置と逆位置の間で枢動可能の測距儀。
【請求項１９】
前記平面と平行な端面を持つワークピースを平面上に備え、ワークピースの厚さは、前記測距儀と前記平面との間の最大距離以下であって、前記測距儀が正位置または逆位置にあるとき、当該ピボットが前記測距儀を端面の上に横たわらせることを特徴とする請求項１８に記載の正位置と逆位置の間で枢動可能の測距儀。
【請求項２０】
前記測距儀は、正位置と逆位置のどちらかに置かれる時、目に見えるインジケータ・ライトを含むことを特徴とする請求項１に記載の正位置と逆位置の間で枢動可能の測距儀。
【請求項２１】
前記測距儀は、表側と裏側があって、前記インジケータ・ライトは、光源とライト伝播メカニズムを含み、前記ライト伝播メカニズムは、光源からの光が測距儀の表側と裏側の両方から現れるよう指示することを特徴とする請求項２０に記載の正位置と逆位置の間で枢動可能の測距儀。
【請求項２２】
前記メカニズムは、導波管を含むことを特徴とする請求項２１に記載の正位置と逆位置の間で枢動可能の測距儀。
【請求項２３】
前記装置は、順番にカバーボードとベースボードとを有するフォルダーを含み、当該カバーボードの表面と当該ベースボードの表面が前記平面に示された開く形態と、当該カバーボードの表面と当該ベースボードの表面が面している閉じた形態とに、お互いに枢動可能であることを特徴とする請求項１に記載の正位置と逆位置の間で枢動可能の測距儀。
【請求項２４】
前記装置は、前記フォルダーが前記開く形態であるのか閉じた形態であるのかどうか、また、前記フォルダーが開く形態である場合に、前記測距儀とキャリヤーが正位置にあるのか逆位置にあるのかどうかを、決定する定位メカニズムを含むことを特徴とする請求項２３に記載の正位置と逆位置の間で枢動可能の測距儀。
【発明の詳細な説明】
【技術分野】
【０００１】
本発明は、例えば、電子ペンのような測距儀に関して、特に、例えば、、ユーザが電子ペンで１ページから次のページまで移る時、当該電子ペンは、絶え間なくユーザの筆跡を記録できる測距儀またはレコーダに関するものである。
【背景技術】
【０００２】
図１は、測距儀とレコーダー１０を結合した電子ペンに関わる平面図と概略ブロック図である。当該測距儀１０のハウジング１２の側部表面１４にお互いに離れて区切られた超音波受信機１６と赤外線受信機１８を設置して、操作上に、当該超音波受信機１６と赤外線受信機１８は、測距回路２０に接続する。前記超音波受信機１６と、前記赤外線受信機１８と、前記測距回路２０の作用は、第6,151,014号の米国特許に記載された図１の平面にある電子ペン（図示せず）の移動を追跡することから教示された。当該電子ペンは、定期的に同時の全指向性の赤外線と超音波パルスを送出する。前記赤外線パルスは、超音波受信機１６によって受け取られる。個々の赤外線のパルスと関連個々の超音波パルスとの間の受信は、遅延時間を発生しており、二つの超音波受信機１６にあった個々の超音波パルスの受信に発生された遅延時間は、前記測距回路２０によって、測定されて、しかも前記測距回路２０によって使用されて三角測量法で測距儀１０に関わる電子ペンを置く。当該電子ペンの瞬間位置の測定値は、前記測距回路２０によって記録/再生回路２２に送られて、前記記録/再生回路２２は、ペンのユーザの筆跡に関する記録としてフラッシュメモリ２４である測定値を記録する。記録した後、ユーザは、前記記録/再生回路２２とUSBポート２６を介して、メモリ２４からその人の筆跡に関する記録をダウンロードするかもしれない。前記測距回路２０と前記記録/再生回路２２のパワーは、バッテリー２８によって、提供される。
第6,151,014号の米国特許は、すべての目的のために、参考として、ここに結合される。
測距儀１０と電子ペンで構成されたシステムで、赤外線パルスは、超音波パルスの到着時間を計算ための時間信号を提供する。
一つの実施例（示せず）に、電子ペンは、例えば光ファイバーケーブルなどの導波管によって測距儀１０に接続されて、そして、赤外線のパルスは導波管を介している電子ペンで測距儀１０に伝送される。前記導波管は、光学的に赤外線受信機１８とこの電子ペンの赤外線送信機をカップルする。もう一つ他の実施例（示せず）に、電子ペンは、電気電圧のパルスを送出して、タイミングパルスとする。当該電気電圧のパルスは、フレキシブルな電気伝導体を通して、測距儀１０に伝送される。しかも赤外線受信機１８の代わりに、前記測距儀１０は、そのパルスの探知器と一緒に備えられている。測距儀１０は、例えば、クリップによって紙のパッドにしっかりされて、それによってユーザがその人の筆跡を記録することができる。測距儀１０にとって、自動的に1枚の紙から別の紙までの移行をマークする能力欠けている。このような能力は、本発明は、このような能力と他の能力もを提供する。
【先行技術文献】
【特許文献】
【０００３】
【特許文献１】米国特許第6,151,014号
【発明の開示】
【発明が解決しようとする課題】
【０００４】
本発明は、（a）平面の表面に平行に対象物の移動を見つけるための測距儀と、（b）当該測距儀が厳格に配属されキャリヤーと、を含む装置を提供して、それは、平面の表面に関わる正位置と逆位置の間で枢動可能である。
【０００５】
対象物を位置することは、測距儀に関わる対象物の位置を決定することを意味する。普通には、当該測距儀は、三角測量法で対象物を位置する。好ましくは、当該測距儀は、受動式の測距儀である。当該「受動式」の測距儀は、対象物を位置するために、エネルギーを対象物に伝えない。普通には、当該測距儀は、対象物から受信された信号に基づき対象物の位置決定をする。
【０００６】
さらに、好ましくは、当該測距儀は、タイミング信号受信機（例えば、赤外線受信機か電気電圧パルスの探知器とか）と、二つの超音波受信機を含む。さらに、好ましくは、当該測距儀は、対象物を追跡するための電気回路構成を含み、例えば、電子ペンは、タイミング信号送信機と、超音波受信機によって超音波送信機から受け取られた超音波パルスの上にタイミング信号受信機によって受け取られたタイミング信号に基づき対象物を追跡する超音波受信機と、を含む。当該タイミング信号受信機は、対象物から空きスペース或いはハードワイヤードチャンネルを（hardwired channel）通って、信号を受け取るかもしれない。ハードワイヤードチャンネルを（hardwiredchannel）は、通常にフレキシブルなコネクタであって、前記コネクタは、対象物を測距儀に接続して、しかもタイミング信号の伝播を支持する。ハードワイヤードチャンネルを（hardwired channel）に関わる典型的な例は、赤外線のタイミング信号の伝播を支持する光ファイバーケーブルである。ハードワイヤードチャンネルを（hardwired channel）に関わる別の典型的な例は、電気電圧タイミング信号の伝播を支持する一つの電気伝導体である。
【０００７】
好ましくは、この装置は、この測距儀とキャリヤーが正位置か逆位置に置くことを決める定位メカニズム（orienting mechanism）を提供する。さらに好ましくは、この装置も、正位置と逆位置の間で枢動可能のキャリヤーと測距儀のためのピボットを含み、しかも当該定位メカニズム（orienting mechanism）は、ピボットで操作上に結合される機械のスイッチを含む。代わりに或いはさらに、当該測距儀は、表と裏側があって、当該定位メカニズム（orienting mechanism）は、一つ以上の受信機と、測距儀の表側にある表面受信機と、測距儀の裏側にある裏面受信機を含む。代わりに或いはさらに、当該定位メカニズム（orienting mechanism）は、一つまたは一つ以上の平面マーカーの近接を検出するため近接検出器（proximitydetectors）を含む。一つの実施例に、当該近接検出器（proximity detectors）は、ホール効果センサ等の磁力計であって、そして、マーカーは非対称的に置かれた永久磁石である。もう一つの実施例に、当該近接検出器（proximity detectors）は、金属探知器であって、そして、マーカーは非対称的に置かれた片の金属である。
【０００８】
好ましくは、この装置も、平面の表面とピボットを含む。厳格に平面の表面に付けられた当該ピボットは、正位置と逆位置の間でキャリヤーと測距儀をピボットするためのものである。さらに好ましくは、当該測距儀は、遠心面を有する平面の表面にある製造過程にある製品（workpiece）で正位置と逆位置のどちらかに置かれる時、当該ピボットは、測距儀を実質的に遠心面で横たわる。前記遠心面は、実質的に平面の表面と平行して、それには、最大の厚さと等しい測距儀と平面の表面を干渉する最大の厚さと等しい製造過程にある製品（workpiece）の厚みがある。
【０００９】
代わりに、この装置は、枢動可能でキャリヤーを平面の表面に取り付けるための付属メカニズム（attachment mechanism）とピボットを含む。厳格に付属メカニズム（attachmentmechanism）に付けられたピボットは、キャリヤーが平面の表面に取り付けられている時、正位置と逆位置の間でキャリヤーと測距儀をピボットするためのものである。さらに、好ましくは、キャリヤーが平面の表面に取り付けられている際、この測距儀は、遠心面を有する平面の表面にある製造過程にある製品（workpiece）で正位置と逆位置のどちらかに置かれる時、当該ピボットは、測距儀を実質的に遠心面で横たわる。前記遠心面は、実質的に平面の表面と平行して、それには、最大の厚さと等しい測距儀と平面の表面を干渉する最大の厚さと等しい製造過程にある製品（workpiece）の厚みがある。
【００１０】
好ましくは、この測距儀は、正位置と逆位置のどちらかに置かれる時、目に見えるインジケータ・ライト（indicator light）を含む。さらに、好ましくは、この測距儀は、表側と裏側がある、そして、当該インジケータ・ライト（indicator light）は、光源とライト伝播メカニズム（light propagation mechanism）を含む。当該ライト伝播メカニズムは、光源からの光が測距儀の表側と裏側の両方から現れるよう指示する。さらに、好ましくは、当該ライト伝播メカニズム（light propagation mechanism）は、導波管を含む。
【００１１】
好ましくは、この装置は、順番にカバーボードとベースボードを有するフォルダーを含む。当該カバーボードとベースボードは、開く配置と閉じる配置の間で、お互いに逆転可動できる。開く配置で、カバーボードとベースボードの表面は、対象物が平行に動くの平面の表面を定義する。閉じる配置で、カバーボードの表面は、ベースボードの表面と面する。さらに好ましくは、この装置は、フォルダーが開く配置とか閉じる配置とかに置くことを決める定位メカニズム（orienting mechanism）を含む。当該フォルダーは、開く配置に置かれている時、当該定位メカニズム（orienting mechanism）も測距儀とキャリヤーが正位置と逆位置にあるかを決定する。 
【図面の簡単な説明】
【００１２】
【図１】図１は、測距儀とレコーダーを結合した電子ペンに関わる平面図と概略ブロック図である。
【図２】図２は、測距儀とレコーダーを結合した電子ペンに取り付けられているフォルダーの平面図である。
【図３Ａ】図３Aと図４Aは、図２のピボットに関わる二つの実施例の透視図である。
【図３Ｂ】図３Bと図４Bは、図３Aと図４Aのピボットを有するフォルダーに関わる一部の側面図である。
【図４Ａ】図３Aと図４Aは、図２のピボットに関わる二つの実施例の透視図である。
【図４Ｂ】図３Bと図４Bは、図３Aと図４Aのピボットを有するフォルダーに関わる一部の側面図である。
【図５Ａ】図５Aは、図２のフォルダーに関わる代わりの実施例の一部平面図である。
【図５Ｂ】図５Bは、図５Bのフォルダーに関わる一部の側面図である。
【図６】図６は、図２の測距儀が正位置と逆位置のどちらかに置かれることをセンサーするメカニズムを示す図である。
【図７】図７は、図２の測距儀のインジケータ・ライト（indicator light）を示す図である。
【図８】図８は、電子ペンに関わるクリップに付けられている測距儀とレコーダを示す図である。
【発明を実施するための形態】
【００１３】
本発明に関わる測距儀の原則と操作は、図面と以下の記載を参照して理解されるほうがよい。
【００１４】
図２を参照して、図２は、書物の背（spine）１０６に蝶番を付けられるカバーボード１０２とベースボード１０４を有するオープンフォルダー１００の平面図である。当該ベースボード１０４の表面１１０で、筆記用紙のスタック１１２を有する。当該カバーボード１０２の表面１０８で、筆記用紙のスタック１１４を有する。当該表面１０８及び１１０は、当該書物の背１０６の表面１１６と組み合わせて、示すように当該フォルダー１００が開かれた時、当該フォルダー１００の共同の平表面を定義する。ピボット１１８は、厳格に当該書物の背（spine）１０６に付けられる。バー（bar）１２０は、ピボット１１８に付けられ、即ち、バー（bar）１２０は、ピボット１１８を通って枢動可能に書物の背（spine）１０６に付けられる。測距儀とレコーダー１２２を結合した本発明は、厳格にバー（bar）１２０に取り付けられる。当該バー（bar）１２０と当該測距儀１２２が、書物の背（spine）１０６の右に実線で表現されているのは、ユーザがスタック１１２に書いている時ユーザの手書きを記録するための正位置にある当該測距儀１２２を示し、しかも書物の背（spine）１０６の左に破線で表現されているのは、ユーザがスタック１１４に書いている時ユーザの手書きを記録するための逆位置にある当該測距儀１２２を示す。
【００１５】
ピボット１１８で、ユーザは、当該スタック１１２にある正位置と当該スタック１１４にある逆位置の間に当該測距儀１２２をピボットすることができる。当該測距儀１２２が、正位置に置かれる時、当該測距儀１２２の正面側１２４は、当該スタック１１２の上に伏せて置いているため、目に見えず、当該測距儀１２２の逆面側１２６は、上を向いているため、目に見える。当該測距儀１２２が逆位置に置かれる時、当該測距儀１２２の逆面側１２６は、当該スタック１１４に伏せて置いているため、目に見えず、当該測距儀１２２の正面側１２４は、上を向いているため、目に見える。
【００１６】
当該測距儀１２２の記録と再生回路２２が以下で説明される測距儀１２２の機能性を支持するために機能アップされるのを除いて、当該測距儀１２２は、測距儀１０の超音波受信機１６、赤外線受信機１８及び当該測距儀１０に関連する内部のコンポーネントを引き継ぐ（どのように当該測距儀１０に関わる当該測距儀１２２機能性を支持するための記録と再生回路２２を変更するのか、従来の技術を基に明確され、それにより、詳細に説明される必要はない）。例えば、当該測距儀１２２は、正面側１２４にある正面の赤外線トランシーバー（送信機+受信機）１２８と逆面側１２６にある逆面の赤外線トランシーバー（送信機+受信機）１３０を含む。当該測距儀１２２は、当該測距儀１２２の状態をユーザに示すための複数のインジケータ・ライト（indicator light）１３２も含む。例えば、一つのインジケータ・ライト（indicator light）１３２は、当該測距儀１２２がパワーダウンされる時、明かりがついていない場合があり、当該インジケータ・ライト（indicator light）１３２は、当該測距儀１２２がパワーアップされる時、グリーンとなり、当該インジケータ・ライト（indicator light）１３２は、当該測距儀１２２のバッテリーパワーが、低くなった時、赤くなっており、しかもトランシーバー（Transceivers）１２８と１３０は、操作上当該測距儀１２２の記録と再生回路に接続される。それぞれのトランシーバー（Transceivers）１２８と１３０は、定期的に赤外線のパルスを送出し、そして、適当に短い時間を待って対応する赤外線の反射を検出する。当該測距儀１２２は、正位置に置かれる時、当該トランシーバー（Transceivers）１２８は、スタック１１２から反射を検出する、そして、当該トランシーバー（Transceivers）１３０は、反射を検出しない。当該測距儀１２２は、逆位置に置かれる時、当該トランシーバー（Transceivers）１３０は、スタック１１４から反射を検出する、そして、当該トランシーバー（Transceivers）１２８は、反射を検出しない。当該測距儀１２２は、正位置から逆位置までまたは逆位置から正位置までピボットされる時、どちらの当該トランシーバー（Transceivers）１２８も、反射を検出しない。
【００１７】
最初に、スタック１１２には、筆記用紙があって、スタック１１４には、ない。当該測距儀１２２は、正位置に置かれる。ユーザは電子ペンでスタック１１２のトップシートを書き続ける。当該測距儀１２２の記録と再生回路は、反射を検出する当該トランシーバー（Transceivers）１２８から指示（indication）を受けて、反射を検出していない当該トランシーバー（Transceivers）１３０から指示（indication）を受ける。当該測距儀１２２が、正位置に置かれる指示（indication）を当該測距儀１２２の記録と再生回路に伝えられ、そして当該測距儀１２２は、測距儀１０のやり方で電子ペンの位置を追跡し、しかも電子ペンの動きを記録して、それによって、トップシートの表面にあるユーザの手書きを記録する。ユーザがスタック１１２のトップシートの表面に脱稿する時、ユーザは、一つの位置にバー（bar）１２０と当該測距儀１２２をピボットさせ、当該バー（bar）１２０は、表面１０８、１１０、１１６と垂直する。当該トランシーバー（Transceivers）１２８と１３０は、当該指示（indication）を当該測距儀１２２の記録と再生回路に伝え、しかも当該トランシーバー（Transceivers）１２８と１３０は、反射を検出していない。これらの指示（indication）は、当該測距儀１２２が正位置から逆位置まで送出していることを当該測距儀１２２の記録と再生回路に伝える。その結果、当該測距儀１２２の記録と再生回路は、正面から逆面までの改ページ位置を記録する。ユーザは、ページを捲って、そのページを表面１０８に置き、それによって、スタック１１４を開始する。ユーザは、当該測距儀１２２のピボットを逆位置で完成する。当該測距儀１２２が、スタック１１４に達する時、当該測距儀１２２の記録と再生回路は、反射を検出していない当該トランシーバー（Transceivers）１２８から指示（indication）を受け、反射を検出する当該トランシーバー（Transceivers）１３０から指示（indication）を受ける。当該測距儀１２２が、逆位置に置かれる指示（indication）を当該測距儀１２２の記録と再生回路に伝えられる。当該測距儀１２２は、測距儀１０のやり方で電子ペンの位置を追跡することを再び始め、しかも電子ペンの動きを記録し、それによって、トップシートの逆面にあるユーザの手書きを記録とする。ユーザがスタック１１２のこの前のトップシートの逆面に手書きを完成する時、ユーザは、表面１０８、１１０、１１６と垂直する位置の背面にバー（bar）１２０と当該測距儀１２２をピボットさせる。当該トランシーバー（Transceivers）１２８と１３０は、当該指示（indication）を当該測距儀１２２の記録と再生回路に伝え、しかも当該トランシーバー（Transceivers）１２８と１３０は、反射を検出していない。これらの指示（indication）は、当該測距儀１２２が逆位置から正位置まで送出していることを当該測距儀１２２の記録と再生回路に伝える。その結果、当該測距儀１２２の記録と再生回路は、逆面から正面までの改ページ位置を記録する。当該測距儀１２２は、電子ペンを追跡し、ユーザの手書きを記録するのを再び開始している時、ユーザは、スタック１１２のカーボン用紙で当該測距儀１２２を逆位置に戻させ、しかも当該スタック１１２のカーボン用紙の逆面を書き続ける。フォルダー１００のユーザは、手書きを完成す��前に、必要な指向性ページ（正面から逆面まで或いは逆面から正面まで）を挿入している際に、用紙の正面と逆面でユーザの手書きを記録するのを当該測距儀１２２で書き続ける。ユーザは、手書きを完成している時、フォルダー１００を閉じ、それによって、当該表面１０８とスタック１１４は当該表面１１０とスタック１１２と面する。当該測距儀１２２の記録と再生回路は、反射を受けている当該トランシーバー（Transceivers）１２８と１３０から指示（indication）を受ける。その結果、記録と再生回路は、電池残量を保存するために、スリープモードとするよう当該測距儀１２２をパワーダウンさせる。ユーザが再びフォルダー１００を開ける時、当該測距儀１２２の記録と再生回路は、反射を受けていない当該トランシーバー（Transceivers）１２８と１３０と一つか両方から指示（indication）を受け、そして、当該測距儀１２２をパワーアップする。
【００１８】
ピボット１１８は、構造化されるので、スタック１１２と１１４がそれほど厚くない限り、当該測距儀１２２は、正位置に置かれる時、スタック１１２の上にぴったり伏せられ、しかも逆位置に置かれる時、スタック１１４の上にぴったり伏せられる。図３Aに示すように、図３Aは、ピボット１１８に関わる一つの実施例の透視図であって、しかも当該ピボット１１８Aは、構造化される。当該ピボット１１８Aは、ピン１４２を動かすことを通してそして厳格に二つの接続ロッド１４４によってバー（bar）１２０に接続されるアーチ１４０を含む。図３Bは、フォルダー１００の一部側面図であって、しかも当該ピボット１１８は、ピボット１１８Aであって、それは、当該スタック１１２の厚さtが高さhより少ないか、またはほとんど等しく、しかも当該アーチ１４０の内部高さがピン１４２の厚さを引いていたのと同じ場合、当該測距儀１２２が、スタック１１２の上にぴったり伏せられることを示す。図４Aは、ピボット１１８の他の一つ実施例１１８Bに関わる透視図である。当該ピボット１１８Bは、直立部１５０、アーム１５２、二つの回転ジョイント（revolute joints）１５４、１５６を有する書物の背（spine）１０６とバー（bar）１２０との間の機械的なリンケージである。図４Bは、フォルダー１００の一部側面図であって、しかも当該ピボット１１８は、ピボット１１８Bであって、それは、当該スタック１１２の厚さtが高さh'より少ないか、またはほとんど等しく、しかも回転ジョイント（revolute joints）１５４が書物の背（spine）１０６と垂直する時、書物の背（spine）１０６からバー（bar）１２０までの距離であるといることを示す（幻で示される）。
【００１９】
図５Aは、フォルダー１００に関わる代わりの実施例の一部平面図であって、図５Bは、フォルダー１００に関わる一部の側面図である。この代わりの実施例で、バー（bar）１２０は、厳格に当該測距儀１２２に取り付けられる代わりに、回転ジョイント（revolute joints）１２１を通って当該測距儀１２２の側部の表面に枢動可能で取り付けられる。書物の背（spine）１０６の表面１１６であるピボットに枢動可能で取り付けられる代わりに、当該バー（bar）１２０のもう一方は、回転ジョイント（revolute joints）１１９を通って書物の背（spine）１０６の側部表面に枢動可能で取り付けられる。
【００２０】
また、図３Bは、最初の代替メカニズムを示し、当該トランシーバー（Transceivers）１２８と１３０の代わりに、それは、当該測距儀１２２が正位置か逆位置にいるかをセンサするためのものである。カバーボード１０２に面しているアーチ１４０の側面にケーブル１４６の片端を確保する。当該ケーブル１４６のもう一方の端は、当該測距儀１２２の遠位側でスプリング入りのスイッチ１４８に固定されている。当該測距儀１２２が正位置に置かれる時、図３Bに示すように、ケーブル１４６は、スイッチ１４８を正位置にある当該測距儀１２２の記録と再生回路に示す位置に引く。当該測距儀１２２が逆位置に置かれる時、ケーブル１４６は、リラックスして、しかもスイッチ１４８にあるスプリングは、スイッチ１４８を逆位置にある当該測距儀１２２の記録と再生回路に示す位置に引く。ケーブル１４６とスイッチ１４８は、ただ詳細に説明するために当該バー（bar）１２０と当該測距儀１２２の外で示される。実際には、ケーブル１４６は、当該バー（bar）１２０と当該測距儀１２２で通されて、しかも当該スイッチ１４８は、当該測距儀１２２内にある。
【００２１】
第二と第三の代替メカニズムは、当該トランシーバー（Transceivers）１２８と１３０の代わりに、図６に示すように、当該測距儀１２２が正位置か逆位置にいるかをセンサするためのものである。二つのマーカー１３４は、フォルダー１００の先端に向かって非対称的に配列され、その一つのマーカーは、カバーボード１０２にあって、他のマーカーは、ベースボード１０４にある。当該測距儀１２２は、マーカー１３４を構成する材料の近接に敏感なセンサを含む。第二の代替メカニズムで、マーカー１３４は、永久磁石であって、当該センサはホール効果センサなどの磁力計である。第三の代替メカニズムで、マーカー１３４は、金属であって、そして、センサは金属探知器である。
【００２２】
図７は、インジケータ・ライト（indicator light）１３２を示す。当該インジケータ・ライト（indicator light）１３２は、可視光ための比較的高い屈折率がある透明な材料の平行六面体なスラブ（slab）１６０である。青色の発光ダイオード（LED）１６２と赤光発光ダイオード（LED）１６４は、光学的にその内部縁辺１６８でスラブ（slab）１６０と結合される。当該測距儀１２２のハウジングは、遠心端にインジケータ・ライト（indicator light）１３２を収容するために、当該当該測距儀１２２の遠位側で輝きだしている末端縁１７０と、当該測距儀１２２の正面側１２４で輝きだしている正面縁１７２と、当該当該測距儀１２２の逆面側１２６で輝きだしている逆面縁１７４で、溝をつけられる。当該インジケータ・ライト（indicator light）１３２は、当該測距儀１２２内にエアギャップによって切り離され、それによって、当該スラブ（slab）１６０は、導波管として作動して、しかも縁辺１６８で発光ダイオード（LED）１６２と１６４よって当該スラブ（slab）１６０に注入された大部分の光は、内部的に反映されて、縁辺１７０と、１７２と１７４に現れる。したがって、ユーザは、当該測距儀１２２が正位置か逆位置かに置かれることにかかわらず、当該インジケータ・ライト（indicator light）１３２から現れた光を見える。
【００２３】
図８に示すように、図８は、弾力的に弾性の材料で製造されたクリップ２０２で当該ピボット１１８と、当該バー（bar）１２０と当該測距儀１２２を結合する一つの実施例２００に関わる概要の斜視図である。クリップ２０２は、スプリング２０８で一緒に偏っている二つのあご（jaws）２０４、２０６を含む。当該実施例２００で、当該ピボット１１８は、厳格に上のあご（jaws）２０４に取り付けられて、それは、ピボット１１８が図２の実施例にある書物の背（spine）１０６に厳格に取り付けられるように。図２と図８を参考して、ピボット１１８は、概要的に示されて、しかも図３Aと３Bにピボット１１８Aで示されてまたは図４A及び図４Bにピボット１１８Bで示されて、或いは、他の適当な方法でも示される。当該実施例２００は、カバーボード１０２と、ベースボード１０４と、書物の背（spine）１０６を含むフォルダーと一緒に使用される。クリップ２０２は、実施例２００を逆転的にクリップで一つのフォルダーと合わせるよう使用される。当該実施例２００がクリップでフォルダーと合わせている時、当該測距儀１２２は、当該フォルダーに関わる正位置と逆位置との間で枢動可能であって、しかも図２の実施例に関わるたった一つのフォルダーのように使用される。当該実施例２００は、ユーザによって一つのフォルダーから他のフォルダーまで移されるかもしれない。
【００２４】
本発明は、限られた実施例で説明されて、本発明の技術的思想の範囲内で考えられるその他の変化、補正、態様も本発明の範囲内に含まれる。従って、上述の実施形態に限定されるものではなく、本発明の主旨を逸脱しない範囲で適宜適用可能である。
【符号の説明】
【００２５】
１０：測距儀
１００：オープンフォルダー
１０２：カバーボード
１０４：ベースボード
１０６：書物の背（spine）
１０８：表面
１１０：表面
１１２：筆記用紙のスタック
１１４：筆記用紙のスタック
１１６：表面
１１８：ピボット
１１９：回転ジョイント（revolute joints）
１２０：バー（bar）
１２１：回転ジョイント（revolute joints）
１２２：レコーダー
１２２：測距儀
１２４：正面側
１２６：逆面側
１２８：赤外線トランシーバー（送信機+受信機）
１３０：赤外線トランシーバー（送信機+受信機）
１３２：インジケータ・ライト（indicator light）
１３４：マーカー
１４０：アーチ
１４２：ピン
１４４：接続ロッド
１４６：ケーブル
１４８：スイッチ
１５０：直立部
１５２：アーム
１５４、１５６：回転ジョイント（revolute joints）
１６：超音波受信機
１６０：スラブ（slab）
１６２：発光ダイオード（LED）
１６４：赤光発光ダイオード（LED）
１６８：内部縁辺
１７０：末端縁
１７２：正面縁
１７４：逆面縁
１８：赤外線受信機
２２：再生回路
２０２：クリップ
２０４，２０６：あご（jaws）
２０８：スプリング
【図１】
0005469180.tif 000002
【図２】
0005469180.tif 000003
【図３Ａ】
0005469180.tif 000004
【図３Ｂ】
0005469180.tif 000005
【図４Ａ】
0005469180.tif 000006
【図４Ｂ】
0005469180.tif 000007
【図５Ａ】
0005469180.tif 000008
【図５Ｂ】
0005469180.tif 000009
【図６】
0005469180.tif 000010
【図７】
0005469180.tif 000011
【図８】
0005469180.tif 000012